(57)【要約】【課題】プラズマディスプレイパネルにおいて、焼成収縮による隔壁の盛り上がりを防止する。【解決手段】  相互に隣設する一組の横隔壁１０２をそれらの両端部において半円形状の隔壁部分１０３を介して相互に結合させる。縦隔壁１０１と横隔壁１０３とが、互いに横切るよう格子状隔壁を形成する。格子状隔壁の格子の縦の長さは横の長さよりも長い。【選択図】    図１
2008159598.tif 000002
【特許請求の範囲】
【請求項１】
第１の基板と、前記第１の基板と対向して配置された第２の基板とからなるプラズマディスプレイパネルであって、
前記第１の基板は、
絶縁性基板と、
前記絶縁性基板上において相互に平行に隔置して形成された複数のデータ電極と、
前記データ電極に対し平行に延在するように前記絶縁性基板上に配置された複数の縦隔壁と、
前記縦隔壁に対し直交して延在するように前記絶縁性基板上に配置された複数の横隔壁と、
前記横隔壁のうちの少なくとも一つである第１の隔壁及び前記横隔壁のうちの他の少なくとも一つである第２の隔壁が延びる方向と同一の方向に延び、前記第１及び第２の隔壁をそれらの長さ方向における両端部のうち少なくとも一方の端部において相互に結合する曲線状の隔壁部分である第３の隔壁と、
を有し、
前記縦隔壁と前記横隔壁とが、互いに横切るよう格子状隔壁を形成し、
前記格子状隔壁の格子の縦の長さは横の長さよりも長いことを特徴とするプラズマディスプレイパネル。
【請求項２】
前記第１の隔壁と前記第２の隔壁とは相互に隣接することを特徴とする請求項１に記載のプラズマディスプレイパネル。
【請求項３】
第１の基板と、前記第１の基板と対向して配置された第２の基板とからなるプラズマディスプレイパネルであって、
前記第１の基板は、
絶縁性基板と、
前記絶縁性基板上において相互に平行に隔置して形成された複数のデータ電極と、
前記データ電極に対し平行に延在するように前記絶縁性基板上に配置された複数の縦隔壁と、
前記縦隔壁に対し直交して延在するように前記絶縁性基板上に配置された複数の横隔壁と、
を有し、
前記縦隔壁と前記横隔壁とが、互いに横切るよう格子状隔壁を形成し、
前記第１の基板は、更に、
前記格子状隔壁の配置領域よりも外側の経路を通るように配置され、前記横隔壁のうちの少なくとも一つである第１の隔壁及び前記横隔壁のうちの他の少なくとも一つである第２の隔壁をそれらの長さ方向における両端部のうち少なくとも一方の端部において相互に結合する曲線状の隔壁部分である第３の隔壁を有し、
前記格子状隔壁の格子の縦の長さは横の長さよりも長いことを特徴とするプラズマディスプレイパネル。
【請求項４】
第１の基板と、前記第１の基板と対向して配置された第２の基板とからなるプラズマディスプレイパネルであって、
前記第１の基板は、
画像の表示が行われる領域である表示領域と、前記表示領域の周囲に位置し画像の表示が行われない領域である非表示領域と、を有する絶縁性基板と、
前記絶縁性基板上において、前記表示領域を通過するように形成されているか、又は、前記表示領域と前記非表示領域との境界線に沿って形成されている複数の表示隔壁と、
前記絶縁性基板上において、全体が前記非表示領域に形成されたダミー隔壁と、
を具備し、
前記ダミー隔壁のうちの少なくとも一つは、その長さ方向の両端部のうち少なくとも一方の端部において、前記ダミー隔壁が延びる方向と同一の方向に延びる曲線状の隔壁部分を介して、前記ダミー隔壁と同一の方向に延びる表示隔壁と当該表示隔壁の端部において結合されていることを特徴とするプラズマディスプレイパネル。
【請求項５】
第１の基板と、前記第１の基板と対向して配置された第２の基板とからなるプラズマディスプレイパネルであって、
前記第１の基板は、
画像の表示が行われる領域である表示領域と、前記表示領域の周囲に位置し画像の表示が行われない領域である非表示領域と、を有する絶縁性基板と、
前記絶縁性基板上において、前記表示領域を通過するように形成されているか、又は、前記表示領域と前記非表示領域との境界線に沿って形成されている複数の表示隔壁と、
前記絶縁性基板上において、全体が前記非表示領域に形成されたダミー隔壁と、
を具備し、
前記ダミー隔壁のうちの少なくとも一つは、その長さ方向の両端部のうち少なくとも一方の端部において、前記ダミー隔壁が延びる方向と同一の方向に延びる曲線状の隔壁部分を介して、前記ダミー隔壁と同一の方向に延び前記ダミー隔壁と隣接する表示隔壁と当該表示隔壁の端部において結合されていることを特徴とするプラズマディスプレイパネル。
【請求項６】
第１の基板と、前記第１の基板と対向して配置された第２の基板とからなるプラズマディスプレイパネルであって、
前記第１の基板は、
画像の表示が行われる領域である表示領域と、前記表示領域の周囲に位置し画像の表示が行われない領域である非表示領域と、を有する絶縁性基板と、
前記絶縁性基板上において、前記表示領域を通過するように形成されているか、又は、前記表示領域と前記非表示領域との境界線に沿って形成されている複数の表示隔壁と、
前記絶縁性基板上において、全体が前記非表示領域に形成されたダミー隔壁と、
を具備し、
前記複数の表示隔壁は、互いに平行に延在する複数の縦隔壁と、前記縦隔壁に対し直交して延在する複数の横隔壁と、からなり、
前記ダミー隔壁は、前記縦隔壁に対し平行に延在する複数のダミー縦隔壁と、前記縦隔壁並びに前記ダミー縦隔壁に対し直交して延在する複数のダミー横隔壁と、からなり、
前記縦隔壁並びに前記ダミー縦隔壁と、前記横隔壁並びに前記ダミー横隔壁と、が互いに横切るよう格子状隔壁を形成し、
前記第１の基板は、前記ダミー縦隔壁のうちの少なくとも一つである第１の隔壁及び前記縦隔壁のうちの少なくとも一つである第２の隔壁が延びる方向と同一の方向に延び、前記第１及び第２の隔壁をそれらの長さ方向における両端部のうち少なくとも一方の端部において相互に結合する曲線状の隔壁部分である第３の隔壁をさらに具備し、
前記格子状隔壁の格子の縦の長さは横の長さよりも長いことを特徴とするプラズマディスプレイパネル。
【請求項７】
前記第１の基板は、前記ダミー横隔壁のうちの少なくとも一つである第４の隔壁及び前記横隔壁のうちの少なくとも一つである第５の隔壁が延びる方向と同一の方向に延び、前記第４及び第５の隔壁をそれらの長さ方向における両端部のうち少なくとも一方の端部において相互に結合する曲線状の隔壁部分である第６の隔壁をさらに具備することを特徴とする請求項６に記載のプラズマディスプレイパネル。
【請求項８】
前記第１の隔壁と前記第２の隔壁とは相互に隣接することを特徴とする請求項６または７に記載のプラズマディスプレイパネル。
【請求項９】
前記第４の隔壁と前記第５の隔壁とは相互に隣接することを特徴とする請求項７に記載のプラズマディスプレイパネル。
【請求項１０】
第１の基板と、前記第１の基板と対向して配置された第２の基板とからなるプラズマディスプレイパネルであって、
前記第１の基板は、
画像の表示が行われる領域である表示領域と、前記表示領域の周囲に位置し画像の表示が行われない領域である非表示領域と、を有する絶縁性基板と、
前記絶縁性基板上において、前記表示領域を通過するように形成されているか、又は、前記表示領域と前記非表示領域との境界線に沿って形成されている複数の表示隔壁と、
前記絶縁性基板上において、全体が前記非表示領域に形成されたダミー隔壁と、
を具備し、
前記複数の表示隔壁は、互いに平行に延在する複数の縦隔壁と、前記縦隔壁に対し直交して延在する複数の横隔壁と、からなり、
前記ダミー隔壁は、前記縦隔壁に対し平行に延在する複数のダミー縦隔壁と、前記縦隔壁並びに前記ダミー縦隔壁に対し直交して延在する複数のダミー横隔壁と、からなり、
前記縦隔壁並びに前記ダミー縦隔壁と、前記横隔壁並びに前記ダミー横隔壁と、が互いに横切るよう格子状隔壁を形成し、
前記第１の基板は、前記ダミー横隔壁のうちの少なくとも一つである第１の隔壁及び前記横隔壁のうちの少なくとも一つである第２の隔壁が延びる方向と同一の方向に延び、前記第１及び第２の隔壁をそれらの長さ方向における両端部のうち少なくとも一方の端部において相互に結合する曲線状の隔壁部分である第３の隔壁をさらに具備し、
前記格子状隔壁の格子の縦の長さは横の長さよりも長いことを特徴とするプラズマディスプレイパネル。
【請求項１１】
前記第１の隔壁と前記第２の隔壁とは相互に隣接することを特徴とする請求項１０に記載のプラズマディスプレイパネル。
【請求項１２】
第１の基板と、前記第１の基板と対向して配置された第２の基板とからなるプラズマディスプレイパネルであって、
前記第１の基板は、
画像の表示が行われる領域である表示領域と、前記表示領域の周囲に位置し画像の表示が行われない領域である非表示領域と、を有する絶縁性基板と、
前記絶縁性基板上において、前記表示領域を通過するように形成されているか、又は、前記表示領域と前記非表示領域との境界線に沿って形成されている複数の表示隔壁と、
前記絶縁性基板上において、全体が前記非表示領域に形成されたダミー隔壁と、
を具備し、
前記ダミー隔壁のうちの少なくとも一つは、その長さ方向の両端部のうち少なくとも一方の端部において、前記表示隔壁及び前記ダミー隔壁の配置領域よりも外側の経路を通るように配置された曲線状の隔壁部分を介して、前記ダミー隔壁と同一の方向に延びる表示隔壁と当該表示隔壁の端部において結合されていることを特徴とするプラズマディスプレイパネル。
【請求項１３】
第１の基板と、前記第１の基板と対向して配置された第２の基板とからなるプラズマディスプレイパネルであって、
前記第１の基板は、
画像の表示が行われる領域である表示領域と、前記表示領域の周囲に位置し画像の表示が行われない領域である非表示領域と、を有する絶縁性基板と、
前記絶縁性基板上において、前記表示領域を通過するように形成されているか、又は、前記表示領域と前記非表示領域との境界線に沿って形成されている複数の表示隔壁と、
前記絶縁性基板上において、全体が前記非表示領域に形成されたダミー隔壁と、
を具備し、
前記複数の表示隔壁は、互いに平行に延在する複数の縦隔壁と、前記縦隔壁に対し直交して延在する複数の横隔壁と、からなり、
前記ダミー隔壁は、前記縦隔壁に対し平行に延在する複数のダミー縦隔壁と、前記縦隔壁並びに前記ダミー縦隔壁に対し直交して延在する複数のダミー横隔壁と、からなり、
前記縦隔壁並びに前記ダミー縦隔壁と、前記横隔壁並びに前記ダミー横隔壁とが、互いに横切るよう格子状隔壁を形成し、
前記第１の基板は、前記格子状隔壁の配置領域よりも外側の経路を通るように配置され、前記ダミー縦隔壁のうちの少なくとも一つである第１の隔壁及び前記縦隔壁のうちの少なくとも一つである第２の隔壁をそれらの長さ方向における両端部のうち少なくとも一方の端部において相互に結合する曲線状の隔壁部分である第３の隔壁をさらに具備し、
前記格子状隔壁の格子の縦の長さは横の長さよりも長いことを特徴とするプラズマディスプレイパネル。
【請求項１４】
第１の基板と、前記第１の基板と対向して配置された第２の基板とからなるプラズマディスプレイパネルであって、
前記第１の基板は、
画像の表示が行われる領域である表示領域と、前記表示領域の周囲に位置し画像の表示が行われない領域である非表示領域と、を有する絶縁性基板と、
前記絶縁性基板上において、前記表示領域を通過するように形成されているか、又は、前記表示領域と前記非表示領域との境界線に沿って形成されている複数の表示隔壁と、
前記絶縁性基板上において、全体が前記非表示領域に形成されたダミー隔壁と、
を具備し、
前記複数の表示隔壁は、互いに平行に延在する複数の縦隔壁と、前記縦隔壁に対し直交して延在する複数の横隔壁と、からなり、
前記ダミー隔壁は、前記縦隔壁に対し平行に延在する複数のダミー縦隔壁と、前記縦隔壁並びに前記ダミー縦隔壁に対し直交して延在する複数のダミー横隔壁と、からなり、
前記縦隔壁並びに前記ダミー縦隔壁と、前記横隔壁並びに前記ダミー横隔壁とが、互いに横切るよう格子状隔壁を形成し、
前記第１の基板は、前記格子状隔壁の配置領域よりも外側の経路を通るように配置され、前記ダミー横隔壁のうちの少なくとも一つである第１の隔壁及び前記横隔壁のうちの少なくとも一つである第２の隔壁をそれらの長さ方向における両端部のうち少なくとも一方の端部において相互に結合する曲線状の隔壁部分である第３の隔壁をさらに具備し、
前記格子状隔壁の格子の縦の長さは横の長さよりも長いことを特徴とするプラズマディスプレイパネル。
【請求項１５】
前記非表示領域は前記表示領域を囲むように形成されていることを特徴とする請求項４乃至１４の何れか一項に記載のプラズマディスプレイパネル。
【請求項１６】
前記曲線状の隔壁部分は半円形状をなしていることを特徴とする請求項１乃至１５の何れか一項に記載のプラズマディスプレイパネル。
【発明の詳細な説明】
【技術分野】
【０００１】
本発明は、プラズマディスプレイパネルに関する。
【背景技術】
【０００２】
プラズマディスプレイパネル（以下、「ＰＤＰ」ともいう）は、薄型で大画面表示を比較的容易に行うことできること、視野角が広いこと、応答速度が速いこと等の特徴を有しているため、近時、フラットディスプレイとして開発が進められている。
【０００３】
図１２は、従来の３電極面放電交流型プラズマディスプレイパネルにおける１つの表示セルの構成を示す斜視図である。
【０００４】
図１２に示すように、この表示セルにおいては、前面基板３５１と背面基板３５２とが相互に平行に設けられている。
【０００５】
前面基板３５１は、ガラスその他の透明材料により形成された絶縁基板３０２と、絶縁基板３０２における背面基板３５２に対向する表面上に形成された複数個の走査電極３０３及び共通電極３０４と、走査電極３０３上に形成されたトレース電極３０５と、共通電極３０４上に形成されたトレース電極３０６と、走査電極３０３、共通電極３０４、トレース電極３０５及び３０６を覆って絶縁基板３０２上に形成された誘電体層３１２と、誘電体層３１２上に形成された保護層３１３と、を備えている。
【０００６】
走査電極３０３及び共通電極３０４は所定の間隔を隔てて、相互に平行に、かつ、交互に配置されている。
【０００７】
トレース電極３０５及び３０６は走査電極３０３上及び共通電極３０４の電極抵抗値を小さくするために形成されている。
【０００８】
保護層３１３は、誘電体層３１２を放電から保護するために形成されており、例えば、酸化マグネシウム（ＭｇＯ）からなる。
【０００９】
背面基板３５２は、ガラスその他の透明材料からなる絶縁基板３０１と、絶縁基板３０１の前面基板３５１に対向する表面において、走査電極３０３及び共通電極３０４に直交する方向に延びるように形成された複数本のデータ電極３０７と、データ電極３０７を覆って絶縁基板３０１上に形成された誘電体層３１４と、誘電体層３１４上に形成された隔壁３１５と、誘電体層３１４の表面及び隔壁３１５の側面に形成された蛍光体層３１１と、から構成されている。
【００１０】
図１２に示したセルにおいては、背面基板３５２は透明基板として形成されているが、背面基板３５２は必ずしも透明である必要はない。
【００１１】
隔壁３１５は、放電ガス空間を確保するとともに、表示セル（画素）３０８を区画している。
【００１２】
絶縁基板３０１の表面に垂直な方向から見て、隔壁３１５の形状は井桁状（格子状）であり、隔壁３１５は、データ電極３１７が延びる方向と同一の方向に延びる縦隔壁３１５ａと、縦隔壁３１５ａが延びる方向に直交する方向に延びる横隔壁３１５ｂとからなっている。
【００１３】
縦隔壁３１５ａの高さと横隔壁３１５ｂの高さは相互にほぼ等しく、絶縁基板３０１の表面からの高さ、すなわち、誘電体層３１４及び隔壁３１５の合計膜厚は、例えば、１２０μｍである。
【００１４】
表示セル３０８にはヘリウム、ネオンもしくはキセノンその他の希ガス又はこれらの希ガスの混合ガスからなる放電ガスが充填されている。蛍光体層３１１は、この放電ガスの放電によって発生する紫外線を受けて、可視光３１０を発光する。
【００１５】
なお、前面基板３５１と背面基板３５２との間の領域は、中央部の表示領域とこの表示領域を囲む周辺部である非表示領域とに分けられ、表示領域において画像が表示される。非表示領域に形成された隔壁はダミー隔壁と呼ばれ、プラズマディスプレイパネル製造時においては、表示領域の隔壁を均一に形成するために、プラズマディスプレイパネル製造後においては、表示領域を保護し、表示領域への不純物の侵入を抑制するために形成されている。ダミー隔壁は通常１乃至２列程度設けられている。
【００１６】
図１３、図１４及び図１５は図１２に示した従来のプラズマディスプレイパネルの製造方法を示す図であり、各図の（ａ）は背面基板を示す平面図であり、（ｂ）は断面図である。以下、図１３、図１４及び図１５を参照して、従来のプラズマディスプレイパネルの製造方法を説明する。
【００１７】
図１２に示すように、先ず、絶縁基板３０２上に走査電極３０３及び共通電極３０４を相互に平行な方向に延び、かつ、交互に配置されるよう形成する。
【００１８】
次いで、走査電極３０３及び共通電極３０４上にそれぞれトレース電極３０５及び３０６を形成する。
【００１９】
次いで、走査電極３０３、共通電極３０４及びトレース電極３０５及び３０６を覆うように、絶縁基板３０２上に誘電体層３１２を形成する。
【００２０】
次いで、誘電体層３１２上にＭｇＯからなる保護層３１３を形成する。
【００２１】
これにより、前面基板３５１が作製される。
【００２２】
一方、背面基板３５２に関しては、図１３（ａ）及び（ｂ）に示すように、絶縁基板３０１上に一方向に延びる複数個のデータ電極３０７を形成する。
【００２３】
次に、図１４（ａ）及び（ｂ）に示すように、このデータ電極３０７を覆うように絶縁基板３０１上に誘電体層３１４を形成する。
【００２４】
次に、図１５（ａ）及び（ｂ）に示すように、誘電体層３１４上に隔壁３１５を形成する。
【００２５】
隔壁３１５の形成方法としては、サンドブラスト法及び印刷法があるが、例えば、サンドブラスト法を用いる場合には、隔壁３１５は以下のようにして形成される。
【００２６】
先ず、フィラー、ガラス粉末、バインダー及び溶剤が混合されてなる隔壁ペーストを作製する。
【００２７】
次に、この隔壁ペーストを誘電体層３１４上に塗布し、隔壁ペースト中の溶剤を揮発させ、隔壁ペースト層（図示せず）を形成する。
【００２８】
次に、この隔壁ペースト層上にドライフィルム（図示せず）を貼付し、このドライフィルムをパターニングする。
【００２９】
次に、このパターニングされたドライフィルムをマスクとしてサンドブラストを行い、隔壁ペースト層を選択的に除去してパターニングを行う。
【００３０】
その後、ドライフィルムを除去し、隔壁ペースト層を焼成する。
【００３１】
これにより、隔壁ペースト層中のバインダーが蒸発するとともに、ガラス粉末が溶解・再凝固し、フィラー及びガラスからなる隔壁３１５を形成することができる。
【００３２】
隔壁３１５は、縦隔壁３１５ａの高さと横隔壁３１５ｂの高さとが相互にほぼ等しくなるように、井桁状に形成される。
【００３３】
次に、図１２に示すように、誘電体層３１４の表面及び隔壁３１５の側面に蛍光体層３１１を形成する。
【００３４】
その後、絶縁基板３０１を絶縁基板３０２に重ね合わせ、絶縁基板３０２上に形成された保護層３１３に、絶縁基板３０１上に形成された隔壁３１５を当接させる。このとき、データ電極３０７が延びる方向が走査電極３０３及び共通電極３０４が延びる方向に対して直交するようにする。
【００３５】
次に、絶縁基板３０１と絶縁基板３０２とを重ね合わせた状態で熱処理を施し、絶縁基板３０１及び３０２の端部同士をフリットにより融着する。これにより、絶縁基板３０１、絶縁基板３０２及びフリットからなる封止層（図示せず）に囲まれた空間を気密的に封止する。
【００３６】
この後、この空間内を排気し、この空間内に放電ガスを充填する。
【００３７】
これにより、図１２に示したプラズマディスプレイパネルが作製される。
【００３８】
しかしながら、上述の従来のプラズマディスプレイパネルには、隔壁ペースト層の焼成時における収縮に起因して、表示不良が発生するという問題点がある。以下、この表示不良について説明する。
【００３９】
この表示不良は２つのタイプに分類することができる。
【００４０】
第１のタイプの表示不良は、隔壁ペースト層の焼成により、縦隔壁３１５ａの一部が盛り上がってしまうことに起因する表示不良である。
【００４１】
この第１のタイプの表示不良は、縦隔壁３１５ａの形状が横隔壁３１５ｂの形状とは異なり、縦隔壁３１５ａが横隔壁３１５ｂよりも長くて細いことに起因している。
【００４２】
縦隔壁３１５ａが横隔壁３１５ｂよりも長くて細いため、縦隔壁３１５ａと横隔壁３１５ｂとの間で焼成時の収縮挙動が異なり、焼成後、縦隔壁３１５ａの一部が盛り上がり、横隔壁３１５ｂよりも高くなってしまう。
【００４３】
この結果、絶縁基板３０１を絶縁基板３０２に重ね合わせたときに、縦隔壁３１５ａにおける盛り上がり部が保護層３１３に強く押圧され、縦隔壁３１５ａが割れてしまうことがあった。縦隔壁３１５ａが割れると、縦隔壁３１５ａ自体及び縦隔壁３１５ａの側面に形成された蛍光体層３１１が表示セル３０８内に飛散し、走査電極３０３又は共通電極３０４に接触する。この結果、この表示セル３０８が正常に動作しなくなり、駆動信号に関係なく点灯し続けたり、逆に、全く点灯しなかったりする表示不良が発生する。
【００４４】
第２のタイプの表示不良は、隔壁３１５を構成する縦隔壁３１５ａ及び横隔壁３１５ｂが焼成に伴って収縮・変形し、長手方向の端部が中央部よりも高くなってしまうことに起因する表示不良である。
【００４５】
図１６（ａ）乃至（ｃ）は隔壁３１５の焼成時における収縮挙動を示す断面図であり、（ａ）は焼成前、（ｂ）は焼成後、（ｃ）は絶縁基板３０１と絶縁基板３０２とを重ね合わせた後の状態を示す。なお、図１６（ａ）乃至（ｃ）においては、図を単純化するため、絶縁基板３０１及び３０２並びに隔壁３１５以外の構成要素は図示を省略されている。
【００４６】
図１６（ａ）に示すように、焼成前の隔壁３１５はその高さが均一である。
【００４７】
しかし、図１６（ｂ）に示すように、隔壁３１５は焼成に伴って収縮・変形し、長手方向の端部３１５ｃが中央部３１５ｄよりも高くなってしまう。
【００４８】
図１６（ｃ）に示すように、この状態で絶縁基板３０１に絶縁基板３０２を重ね合わせて放電空間内を排気すると、絶縁基板３０１及び３０２は大気圧により湾曲するが、その湾曲の形状は隔壁３１５の湾曲形状とは異なるため、端部３１５ｃの近傍において、隔壁３１５と絶縁基板３０２との間に隙間３１６が形成されてしまう。
【００４９】
これにより、隙間３１６が形成された領域の表示セル３０８（図１２参照）の容積が大きくなり、この表示セル３０８において書き込み放電を発生させるために必要な電圧が上昇する。この結果、この表示セル３０８では通常の駆動において書き込み放電が発生しなくなり、書き込み不良が発生する。すなわち、プラズマディスプレイパネルに表示不良が発生する。
【００５０】
従来、前述の第２のタイプの表示不良に対しては、いくつかの対応策が提案されている。
【００５１】
例えば、特許文献１には、第２のタイプの表示不良を防止することを目的として、非表示領域においては背面基板上に誘電体層を設けず、背面基板上に直接隔壁を形成する技術が開示されている。これにより、非表示領域（周辺部）における隔壁の高さを表示領域（中央部）における隔壁の高さよりも低くし、隔壁が焼成により収縮し、長手方向端部が中央部よりも高くなっても、全面基板との間に隙間が形成されることを防止できるものとされている。
【００５２】
これに対して、前述の第１のタイプの表示不良は認識の度合いが未だ低く、従って、その対応策も十分に提案されていない。
【００５３】
例えば、特許文献１に記載されている技術によれば、第２のタイプの表示不良は防止できるものの、第１のタイプの表示不良は防止することができない。
【００５４】
また、特許文献２は、第１のタイプの表示不良を防止することを目的として、横隔壁に改良を施したプラズマディスプレイパネルを提案している。
【００５５】
図１７は、同公報に提案されているプラズマディスプレイパネルにおける隔壁の構造を示す概略図である。
【００５６】
図１７に示すように、このプラズマディスプレイパネルは、隔壁として、横方向に延びる複数個の横隔壁３１５Ａと、隣接する一組の横隔壁３１５Ａの間においてのみ、縦方向に延びる複数個の縦隔壁３１５Ｂと、を備えている。
【００５７】
横隔壁３１５Ａの両端には張り出し部３１５Ｃが形成されており、焼成収縮による盛り上がりをこの張り出し部３１５Ｃに集中させている。前面基板と背面基板とは、横隔壁３１５Ａの両端の張り出し部３１５Ｃの間において、相互に結合される。このため、前面基板と背面基板とは、盛り上がった張り出し部３１５Ｃによる影響を受けることなく、一定の隙間を維持した状態で相互に結合させることが可能である。
【００５８】
また、特許文献３は、図１８に示すように、隔壁の両端部にテーパ３１５Ｄを設け、焼成収縮による盛り上がりを防止する隔壁構造を提案している。
【特許文献１】特開２００１−３１９５８０号公報（［００３８］、図４）
【特許文献２】特開２０００−３４０１２３号公報（［００３８］、図１）
【特許文献３】特開平１１−３３９６６８号公報（［００１４］−［００１５］、図１、図２）
【発明の開示】
【発明が解決しようとする課題】
【００５９】
しかしながら、特許文献２に示されたプラズマディスプレイパネルによれば、前面基板と背面基板とを一定の隙間を維持した状態で相互に結合させることが可能であるが、張り出し部３１５Ｃは盛り上がっているため、前面基板と背面基板とを合わせる位置が少しでも狂うと、前面基板が張り出し部３１５Ｃと重なり合うことになり、前面基板と背面基板との間の隙間を一定にすることは不可能となる。
【００６０】
従って、前面基板と背面基板とを高精度に位置決めしたうえで相互に結合させることが必要となり、プラズマディスプレイパネルの製造工程が複雑化するという問題点が新たに発生する。
【００６１】
また、特許文献３に示された隔壁構造は、例えば、物理的な切削、型抜きまたはハーフ露光のプロセスにより形成される。
【００６２】
物理的な切削によりテーパ３１５Ｄを形成する場合、切削工程が新たに必要になるとともに、切削に伴う切り屑が発生するという問題点が新たに生じる。
【００６３】
また、型抜きまたはハーフ露光によりテーパ３１５Ｄを形成する場合、そのための新たな設備が必要となり、従来のサンドブラストを用いる隔壁の製造方法には適用することができないという問題点が新たに生じる。
【００６４】
本発明は、以上のよう従来のプラズマディスプレイパネルの隔壁構造における問題点に鑑みてなされたものであり、製造工程を増やし、または、複雑化することなく、焼成収縮による隔壁の盛り上がりを防止することができるプラズマディスプレイパネルを提供することを目的とする。
【課題を解決するための手段】
【００６５】
請求項１に記載の発明は、第１の基板と、前記第１の基板と対向して配置された第２の基板とからなるプラズマディスプレイパネルであって、前記第１の基板は、絶縁性基板と、前記絶縁性基板上において相互に平行に隔置して形成された複数のデータ電極と、前記データ電極に対し平行に延在するように前記絶縁性基板上に配置された複数の縦隔壁と、前記縦隔壁に対し直交して延在するように前記絶縁性基板上に配置された複数の横隔壁と、前記横隔壁のうちの少なくとも一つである第１の隔壁及び前記横隔壁のうちの他の少なくとも一つである第２の隔壁が延びる方向と同一の方向に延び、前記第１及び第２の隔壁をそれらの長さ方向における両端部のうち少なくとも一方の端部において相互に結合する曲線状の隔壁部分である第３の隔壁と、を有し、前記縦隔壁と前記横隔壁とが、互いに横切るよう格子状隔壁を形成し、前記格子状隔壁の格子の縦の長さは横の長さよりも長いことを特徴とする。
【００６６】
請求項３に記載の発明は、第１の基板と、前記第１の基板と対向して配置された第２の基板とからなるプラズマディスプレイパネルであって、前記第１の基板は、絶縁性基板と、前記絶縁性基板上において相互に平行に隔置して形成された複数のデータ電極と、前記データ電極に対し平行に延在するように前記絶縁性基板上に配置された複数の縦隔壁と、前記縦隔壁に対し直交して延在するように前記絶縁性基板上に配置された複数の横隔壁と、を有し、前記縦隔壁と前記横隔壁とが、互いに横切るよう格子状隔壁を形成し、前記第１の基板は、更に、前記格子状隔壁の配置領域よりも外側の経路を通るように配置され、前記横隔壁のうちの少なくとも一つである第１の隔壁及び前記横隔壁のうちの他の少なくとも一つである第２の隔壁をそれらの長さ方向における両端部のうち少なくとも一方の端部において相互に結合する曲線状の隔壁部分である第３の隔壁を有し、前記格子状隔壁の格子の縦の長さは横の長さよりも長いことを特徴とする。
【００６７】
請求項４に記載の発明は、第１の基板と、前記第１の基板と対向して配置された第２の基板とからなるプラズマディスプレイパネルであって、前記第１の基板は、画像の表示が行われる領域である表示領域と、前記表示領域の周囲に位置し画像の表示が行われない領域である非表示領域と、を有する絶縁性基板と、前記絶縁性基板上において、前記表示領域を通過するように形成されているか、又は、前記表示領域と前記非表示領域との境界線に沿って形成されている複数の表示隔壁と、前記絶縁性基板上において、全体が前記非表示領域に形成されたダミー隔壁と、を具備し、前記ダミー隔壁のうちの少なくとも一つは、その長さ方向の両端部のうち少なくとも一方の端部において、前記ダミー隔壁が延びる方向と同一の方向に延びる曲線状の隔壁部分を介して、前記ダミー隔壁と同一の方向に延びる表示隔壁と当該表示隔壁の端部において結合されていることを特徴とする。
【００６８】
請求項５に記載の発明は、第１の基板と、前記第１の基板と対向して配置された第２の基板とからなるプラズマディスプレイパネルであって、前記第１の基板は、画像の表示が行われる領域である表示領域と、前記表示領域の周囲に位置し画像の表示が行われない領域である非表示領域と、を有する絶縁性基板と、前記絶縁性基板上において、前記表示領域を通過するように形成されているか、又は、前記表示領域と前記非表示領域との境界線に沿って形成されている複数の表示隔壁と、前記絶縁性基板上において、全体が前記非表示領域に形成されたダミー隔壁と、を具備し、前記ダミー隔壁のうちの少なくとも一つは、その長さ方向の両端部のうち少なくとも一方の端部において、前記ダミー隔壁が延びる方向と同一の方向に延びる曲線状の隔壁部分を介して、前記ダミー隔壁と同一の方向に延び前記ダミー隔壁と隣接する表示隔壁と当該表示隔壁の端部において結合されていることを特徴とする。
【００６９】
請求項６に記載の発明は、第１の基板と、前記第１の基板と対向して配置された第２の基板とからなるプラズマディスプレイパネルであって、前記第１の基板は、画像の表示が行われる領域である表示領域と、前記表示領域の周囲に位置し画像の表示が行われない領域である非表示領域と、を有する絶縁性基板と、前記絶縁性基板上において、前記表示領域を通過するように形成されているか、又は、前記表示領域と前記非表示領域との境界線に沿って形成されている複数の表示隔壁と、前記絶縁性基板上において、全体が前記非表示領域に形成されたダミー隔壁と、を具備し、前記複数の表示隔壁は、互いに平行に延在する複数の縦隔壁と、前記縦隔壁に対し直交して延在する複数の横隔壁と、からなり、前記ダミー隔壁は、前記縦隔壁に対し平行に延在する複数のダミー縦隔壁と、前記縦隔壁並びに前記ダミー縦隔壁に対し直交して延在する複数のダミー横隔壁と、からなり、前記縦隔壁並びに前記ダミー縦隔壁と、前記横隔壁並びに前記ダミー横隔壁と、が互いに横切るよう格子状隔壁を形成し、前記第１の基板は、前記ダミー縦隔壁のうちの少なくとも一つである第１の隔壁及び前記縦隔壁のうちの少なくとも一つである第２の隔壁が延びる方向と同一の方向に延び、前記第１及び第２の隔壁をそれらの長さ方向における両端部のうち少なくとも一方の端部において相互に結合する曲線状の隔壁部分である第３の隔壁をさらに具備し、前記格子状隔壁の格子の縦の長さは横の長さよりも長いことを特徴とする。
【００７０】
請求項１０に記載の発明は、第１の基板と、前記第１の基板と対向して配置された第２の基板とからなるプラズマディスプレイパネルであって、前記第１の基板は、画像の表示が行われる領域である表示領域と、前記表示領域の周囲に位置し画像の表示が行われない領域である非表示領域と、を有する絶縁性基板と、前記絶縁性基板上において、前記表示領域を通過するように形成されているか、又は、前記表示領域と前記非表示領域との境界線に沿って形成されている複数の表示隔壁と、前記絶縁性基板上において、全体が前記非表示領域に形成されたダミー隔壁と、を具備し、前記複数の表示隔壁は、互いに平行に延在する複数の縦隔壁と、前記縦隔壁に対し直交して延在する複数の横隔壁と、からなり、前記ダミー隔壁は、前記縦隔壁に対し平行に延在する複数のダミー縦隔壁と、前記縦隔壁並びに前記ダミー縦隔壁に対し直交して延在する複数のダミー横隔壁と、からなり、前記縦隔壁並びに前記ダミー縦隔壁と、前記横隔壁並びに前記ダミー横隔壁と、が互いに横切るよう格子状隔壁を形成し、前記第１の基板は、前記ダミー横隔壁のうちの少なくとも一つである第１の隔壁及び前記横隔壁のうちの少なくとも一つである第２の隔壁が延びる方向と同一の方向に延び、前記第１及び第２の隔壁をそれらの長さ方向における両端部のうち少なくとも一方の端部において相互に結合する曲線状の隔壁部分である第３の隔壁をさらに具備し、前記格子状隔壁の格子の縦の長さは横の長さよりも長いことを特徴とする。
【００７１】
請求項１２に記載の発明は、第１の基板と、前記第１の基板と対向して配置された第２の基板とからなるプラズマディスプレイパネルであって、前記第１の基板は、画像の表示が行われる領域である表示領域と、前記表示領域の周囲に位置し画像の表示が行われない領域である非表示領域と、を有する絶縁性基板と、前記絶縁性基板上において、前記表示領域を通過するように形成されているか、又は、前記表示領域と前記非表示領域との境界線に沿って形成されている複数の表示隔壁と、前記絶縁性基板上において、全体が前記非表示領域に形成されたダミー隔壁と、を具備し、前記ダミー隔壁のうちの少なくとも一つは、その長さ方向の両端部のうち少なくとも一方の端部において、前記表示隔壁及び前記ダミー隔壁の配置領域よりも外側の経路を通るように配置された曲線状の隔壁部分を介して、前記ダミー隔壁と同一の方向に延びる表示隔壁と当該表示隔壁の端部において結合されていることを特徴とする。
【００７２】
請求項１３に記載の発明は、第１の基板と、前記第１の基板と対向して配置された第２の基板とからなるプラズマディスプレイパネルであって、前記第１の基板は、画像の表示が行われる領域である表示領域と、前記表示領域の周囲に位置し画像の表示が行われない領域である非表示領域と、を有する絶縁性基板と、前記絶縁性基板上において、前記表示領域を通過するように形成されているか、又は、前記表示領域と前記非表示領域との境界線に沿って形成されている複数の表示隔壁と、前記絶縁性基板上において、全体が前記非表示領域に形成されたダミー隔壁と、を具備し、前記複数の表示隔壁は、互いに平行に延在する複数の縦隔壁と、前記縦隔壁に対し直交して延在する複数の横隔壁と、からなり、前記ダミー隔壁は、前記縦隔壁に対し平行に延在する複数のダミー縦隔壁と、前記縦隔壁並びに前記ダミー縦隔壁に対し直交して延在する複数のダミー横隔壁と、からなり、前記縦隔壁並びに前記ダミー縦隔壁と、前記横隔壁並びに前記ダミー横隔壁とが、互いに横切るよう格子状隔壁を形成し、前記第１の基板は、前記格子状隔壁の配置領域よりも外側の経路を通るように配置され、前記ダミー縦隔壁のうちの少なくとも一つである第１の隔壁及び前記縦隔壁のうちの少なくとも一つである第２の隔壁をそれらの長さ方向における両端部のうち少なくとも一方の端部において相互に結合する曲線状の隔壁部分である第３の隔壁をさらに具備し、前記格子状隔壁の格子の縦の長さは横の長さよりも長いことを特徴とする。
【００７３】
請求項１４に記載の発明は、第１の基板と、前記第１の基板と対向して配置された第２の基板とからなるプラズマディスプレイパネルであって、前記第１の基板は、画像の表示が行われる領域である表示領域と、前記表示領域の周囲に位置し画像の表示が行われない領域である非表示領域と、を有する絶縁性基板と、前記絶縁性基板上において、前記表示領域を通過するように形成されているか、又は、前記表示領域と前記非表示領域との境界線に沿って形成されている複数の表示隔壁と、前記絶縁性基板上において、全体が前記非表示領域に形成されたダミー隔壁と、を具備し、前記複数の表示隔壁は、互いに平行に延在する複数の縦隔壁と、前記縦隔壁に対し直交して延在する複数の横隔壁と、からなり、前記ダミー隔壁は、前記縦隔壁に対し平行に延在する複数のダミー縦隔壁と、前記縦隔壁並びに前記ダミー縦隔壁に対し直交して延在する複数のダミー横隔壁と、からなり、前記縦隔壁並びに前記ダミー縦隔壁と、前記横隔壁並びに前記ダミー横隔壁とが、互いに横切るよう格子状隔壁を形成し、前記第１の基板は、前記格子状隔壁の配置領域よりも外側の経路を通るように配置され、前記ダミー横隔壁のうちの少なくとも一つである第１の隔壁及び前記横隔壁のうちの少なくとも一つである第２の隔壁をそれらの長さ方向における両端部のうち少なくとも一方の端部において相互に結合する曲線状の隔壁部分である第３の隔壁をさらに具備し、前記格子状隔壁の格子の縦の長さは横の長さよりも長いことを特徴とする。
【発明を実施するための最良の形態】
【００７４】
（第一の実施形態）
図１は、本発明の第一の実施形態に係る背面側基板１０の概略的な平面図である。図を単純化するため、図１においては、隔壁のみを示すが、隔壁以外の構造については、本実施形態に係る背面側基板１０は図１２に示した背面基板３５２と同様の構造を有しているものとする。
【００７５】
本実施形態に係る背面側基板１０においては、隔壁は、図１の鉛直方向において相互に平行に延びる複数の縦隔壁１０１と、図１の水平方向において相互に平行に延びる複数の横隔壁１０２と、から構成されている。隣接する縦隔壁１０１の間の間隔は全て等しく、また、隣接する横隔壁１０２の間の間隔は全て等しい。さらに、隣接する横隔壁１０２の間の間隔と隣接する縦隔壁１０１の間の間隔との比（縦横比）は３：１である。縦隔壁１０１及び横隔壁１０２は全体として格子状に配列されている。
【００７６】
本実施形態に係る背面側基板１０においては、相互に隣接する縦隔壁１０１はそれらの両端部において半円形状の隔壁部分１０３を介して相互に連続するように形成されている。
【００７７】
すなわち、本実施形態に係る背面側基板１０は１６本の縦隔壁１０１を有しており、図１の左側から見てＮ（Ｎは１から１５までの間の正の奇数）番目の縦隔壁１０１は（Ｎ＋１）番目の縦隔壁１０１と半円形状の隔壁部分１０３を介して相互に連続するように形成されている。
【００７８】
同様に、相互に隣接する横隔壁１０２はそれらの両端部において半円形状の隔壁部分１０３を介して相互に連続するように形成されている。
【００７９】
すなわち、本実施形態に係る背面側基板１０は８本の横隔壁１０２を有しており、図１の上側から見てＭ（Ｍは１から７までの間の正の奇数）番目の横隔壁１０２は（Ｍ＋１）番目の横隔壁１０２と半円形状の隔壁部分１０３を介して相互に連続するように形成されている。
【００８０】
図２は、本実施形態に係る背面側基板１０において、縦隔壁１０１、横隔壁１０２及び半円形状の隔壁部分１０３の数カ所において測定した高さを示す試験結果である。
【００８１】
図２（Ａ）に示す１−１５の１０カ所において、誘電体層及び隔壁の合計膜厚を測定した。その結果を図２（Ｂ）に示す。
【００８２】
誘電体層及び隔壁の合計膜厚の設計値は１２０μｍである。最も膜厚が大きい位置は５番の箇所の１３３μｍ、次に膜厚が大きい位置は１番の箇所の１３２μｍである。測定誤差が±５μｍ程度あることを考慮すれば、３番、６番、１２番及び１５番の箇所における膜厚は測定誤差の範囲内の値であり、残りの１番、２番、５番、８番、１０番及び１３番の箇所における膜厚の設計値（１２０μｍ）からのずれは最大でも５番の箇所の８μｍである。
【００８３】
従来例として示した特開２０００−３４０１２３号公報または特開平１１−３３９６６８号公報における隔壁構造においては、誘電体層及び隔壁の合計膜厚の設計値からのずれは２０−３０μｍ程度である。
【００８４】
このように、本実施形態に係る背面側基板１０によれば、一組の縦隔壁または横隔壁の端部を半円形状の隔壁部分を介して相互に結合させることにより、焼成時に発生する収縮力を緩やかに分散させることができる。このため、縦隔壁または横隔壁の端部における盛り上がりを防止することができ、ひいては、隔壁の欠損または形状不良を従来例よりも確実に防止することが可能である。よって、隔壁の欠損及び形状不良に起因する表示不良を防止することができる。
【００８５】
本実施形態に係る背面側基板１０における隔壁構造は、隔壁ペースト層上に貼付するドライフィルムのパターンを本隔壁構造に合わせて変更することにより、形成することができる。
【００８６】
従って、従来の隔壁の製造方法と比較して、製造工程数が増加することはない。
【００８７】
なお、本実施形態に係る背面側基板１０における縦隔壁１０１、横隔壁１０２及び隔壁部分１０３の構造は上述のものに限定されるものではなく、以下に述べるように、種々の変更が可能である。
【００８８】
第一に、本実施形態に係る背面側基板１０においては、全ての縦隔壁１０１及び横隔壁１０２を半円形状の隔壁部分１０３を介して結合させているが、必ずしも全ての縦隔壁１０１または横隔壁１０２を隔壁部分１０３を介して結合させることは必要ではない。
【００８９】
図１に示した背面側基板１０を例にとると、例えば、Ｌ（Ｌ＝１、５、９、１３）番目の縦隔壁１０１と（Ｌ＋１）番目の縦隔壁１０１とを半円形状の隔壁部分１０３を介して結合させ、残りの縦隔壁１０１はそのまま残しておくことも可能である。すなわち、設計環境に合わせて、隔壁部分１０３を介して結合させる縦隔壁１０１を選択することができる。
【００９０】
なお、プラズマディスプレイパネルの表示部の最外周に位置する隔壁は常に他の隔壁と半円形状の隔壁部分を介して結合させておくことが望ましい。
【００９１】
第二に、本実施形態に係る背面側基板１０においては、縦隔壁１０１及び横隔壁１０２の間の結合は半円形状の隔壁部分１０３を介して行われているが、隔壁部分１０３の形状は必ずしも半円形状には限定されない。
【００９２】
隔壁部分１０３は、例えば、円の一部である円弧形状としてもよく、あるいは、全体が凸形状になっているような任意の曲線の組み合わせから構成することも可能である。二つの直線部分がある角度をなして相互に結合しているような角部分を有しないものである限りは、隔壁部分１０３は任意の曲線形状に形成する事が可能である。
【００９３】
（第二の実施形態）
図３は、本発明の第二の実施形態に係る背面側基板２０の概略的な平面図である。図を単純化するため、図３においては、図１と同様に、隔壁のみを示すが、隔壁以外の構造については、本実施形態に係る背面側基板２０は図１２に示した背面基板３５２と同様の構造を有しているものとする。
【００９４】
本実施形態に係る背面側基板２０においては、隔壁は、図３の鉛直方向において相互に平行に延びる複数の縦隔壁１０１ａと、図３の水平方向において相互に平行に延びる複数の横隔壁１０２ａと、から構成されている。隣接する縦隔壁１０１ａの間の間隔は全て等しく、また、隣接する横隔壁１０２ａの間の間隔は全て等しい。ささらに、隣接する横隔壁１０２ａの間の間隔と隣接する縦隔壁１０１ａの間の間隔との比（縦横比）は３：１である。縦隔壁１０１ａ及び横隔壁１０２ａは全体として格子状に配列されている。
【００９５】
ここで、図３の一番左側に位置する縦隔壁１０１ａとその縦隔壁１０１ａの右側に位置する３つの縦隔壁１０１ａをこの順にそれぞれ第一の縦隔壁１０１−１、第二の縦隔壁１０１−２、第三の縦隔壁１０１−３、第四の縦隔壁１０１−４と呼ぶ。
【００９６】
本実施形態に係る背面側基板２０においては、第一の縦隔壁１０１−１は第三の縦隔壁１０１−３とそれらの両端部において第一の半円形状の隔壁部分１０３−１を介して相互に連続するように形成されており、さらに、第二の縦隔壁１０１−２は第四の縦隔壁１０１−４とそれらの両端部において第二の半円形状の隔壁部分１０３−２を介して相互に連続するように形成されている。第一の半円形状の隔壁部分１０３−１と第二の半円形状の隔壁部分１０３−２とは、第二の縦隔壁１０１−２と第三の縦隔壁１０１−３との中間点において、交差している。
【００９７】
第一の縦隔壁１０１−１と第三の縦隔壁１０１−３との間の間隔は、第二の縦隔壁１０１−２と第四の縦隔壁１０１−４との間の間隔と等しいため、第一の半円形状の隔壁部分１０３−１の半径と第二の半円形状の隔壁部分１０３−２の半径とは等しい。
【００９８】
すなわち、本実施形態に係る背面側基板２０は１６本の縦隔壁１０１ａを有しており、図３の左側から見てＮ（Ｎは１、５、９、１３）番目の縦隔壁１０１ａは（Ｎ＋２）番目の縦隔壁１０１ａと半円形状の隔壁部分１０３−１を介して相互に連続するように形成されており、図３の左側から見てＭ（Ｍは２、６、１０、１４）番目の縦隔壁１０１ａは（Ｍ＋２）番目の縦隔壁１０１ａと半円形状の隔壁部分１０３−２を介して相互に連続するように形成されている。
【００９９】
以上の点は横隔壁１０２ａについても同様である。
【０１００】
図４は、本実施形態に係る背面側基板２０において、縦隔壁１０１ａ、横隔壁１０２ａ及び半円形状の隔壁部分１０３ａの数カ所において測定した高さを示す試験結果である。
【０１０１】
図４（Ａ）に示す１−２０及びＡの１５カ所において、誘電体層及び隔壁の合計膜厚を測定した。その結果を図４（Ｂ）に示す。
【０１０２】
誘電体層及び隔壁の合計膜厚の設計値は１２０μｍである。最も膜厚が大きい位置は８番の箇所の１３８μｍ、次に膜厚が大きい位置は５番の箇所の１３４μｍである。測定誤差が±５μｍ程度あることを考慮すれば、２番、６番、１１番、１２番、１４番、１５番、１６番、１９番及びＡの箇所における膜厚は測定誤差の範囲内の値であり、残りの１番、５番、７番、８番、１３番及び２０番の箇所における膜厚の設計値（１２０μｍ）からのずれは最大でも５番の箇所の１４μｍである。
【０１０３】
従来例として示した特開２０００−３４０１２３号公報または特開平１１−３３９６６８号公報における隔壁構造においては、誘電体層及び隔壁の合計膜厚の設計値からのずれは２０−３０μｍ程度である。
【０１０４】
このように、本実施形態に係る背面側基板２０によれば、一組の縦隔壁または横隔壁の端部を半円形状の隔壁部分を介して相互に結合させることにより、焼成時に発生する収縮力を緩やかに分散させることができる。このため、縦隔壁または横隔壁の端部における盛り上がりを防止することができ、ひいては、第一の実施形態に係る背面側基板１０と同様に、隔壁の欠損または形状不良を従来例よりも確実に防止することが可能である。
【０１０５】
なお、本実施形態に係る背面側基板２０においても、第一の実施形態に係る背面側基板１０と同様に、縦隔壁１０１ａ、横隔壁１０２ａ及び隔壁部分１０３ａの構造は種々の変更が可能である。
【０１０６】
（第三の実施形態）
図５は、本発明の第三の実施形態に係る背面側基板３０の概略的な平面図である。図を単純化するため、図５においては、図１と同様に、隔壁のみを示すが、隔壁以外の構造については、本実施形態に係る背面側基板３０は図１２に示した背面基板３５２と同様の構造を有しているものとする。
【０１０７】
本実施形態に係る背面側基板３０においては、隔壁は、図５の鉛直方向において相互に平行に延びる１２個の縦隔壁１０１ａ−１０１ｌと、図５の水平方向において相互に平行に延びる８個の横隔壁１０２ａ−１０２ｈと、から構成されている。隣接する縦隔壁１０１ａ−１０１ｌの間の間隔は全て等しく、また、隣接する横隔壁１０２ａ−１０２ｈの間の間隔は全て等しい。さらに、隣接する横隔壁１０２ａ−１０２ｈの間の間隔と隣接する縦隔壁１０１ａ−１０１ｌの間の間隔との比（縦横比）は３：１に設定されている。縦隔壁１０１ａ−１０１ｌ及び横隔壁１０２ａ−１０２ｈは全体として格子状に配列されている。
【０１０８】
本実施形態に係る背面側基板３０においては、縦隔壁１０１ａ−１０１ｌは５個おきにそれらの両端部において半円形状の隔壁部分を介して相互に連続して形成されている。
【０１０９】
すなわち、縦隔壁１０１ａは縦隔壁１０１ｇと半円形状の隔壁部分１０３ａを介して相互に連続して形成されている。以下、同様に、縦隔壁１０１ｂは縦隔壁１０１ｈと半円形状の隔壁部分１０３ｂを介して相互に連続して形成され、縦隔壁１０１ｃは縦隔壁１０１ｉと半円形状の隔壁部分１０３ｃを介して相互に連続して形成され、縦隔壁１０１ｄは縦隔壁１０１ｊと半円形状の隔壁部分１０３ｄを介して相互に連続して形成され、縦隔壁１０１ｅは縦隔壁１０１ｋと半円形状の隔壁部分１０３ｅを介して相互に連続して形成され、縦隔壁１０１ｆは縦隔壁１０１ｌと半円形状の隔壁部分１０３ｆを介して相互に連続して形成されている。
【０１１０】
また、横隔壁１０２ａ−１０２ｈは３個おきにそれらの両端部において半円形状の隔壁部分を介して相互に連続して形成されている。
【０１１１】
すなわち、横隔壁１０２ａは横隔壁１０２ｅと半円形状の隔壁部分１０３ｇを介して相互に連続して形成されている。以下、同様に、横隔壁１０２ｂは横隔壁１０２ｆと半円形状の隔壁部分１０３ｈを介して相互に連続して形成され、横隔壁１０２ｃは横隔壁１０２ｇと半円形状の隔壁部分１０３ｉを介して相互に連続して形成され、横隔壁１０２ｄは横隔壁１０２ｈと半円形状の隔壁部分１０３ｊを介して相互に連続して形成されている。
【０１１２】
すなわち、縦隔壁及び横隔壁ともにＳ／２個（Ｓは縦隔壁及び横隔壁の総数）おきに他の縦隔壁及び横隔壁と半円形状の隔壁部分と結合している。
【０１１３】
本実施形態に係る背面側基板３０によっても、一組の縦隔壁または横隔壁の端部を半円形状の隔壁部分を介して相互に結合させることにより、焼成時に発生する収縮力を緩やかに分散させることができる。このため、縦隔壁または横隔壁の端部における盛り上がりを防止することができ、ひいては、第一の実施形態に係る背面側基板１０及び第二の実施形態に係る背面側基板２０と同様に、隔壁の欠損または形状不良を従来例よりも確実に防止することが可能である。
【０１１４】
（第四の実施形態）
図６は、本発明の第四の実施形態に係る背面側基板４０の概略的な平面図である。図を単純化するため、図６においては、図１と同様に、隔壁のみを示すが、隔壁以外の構造については、本実施形態に係る背面側基板４０は図１２に示した背面基板３５２と同様の構造を有しているものとする。
【０１１５】
本実施形態に係る背面側基板４０においては、隔壁は、図６の鉛直方向において相互に平行に延びる８個の縦隔壁１０１ａ−１０１ｈと、図６の水平方向において相互に平行に延びる８個の横隔壁１０２ａ−１０２ｈと、から構成されている。隣接する縦隔壁１０１ａ−１０１ｈの間の間隔は全て等しく、また、隣接する横隔壁１０２ａ−１０２ｈの間の間隔は全て等しい。さらに、隣接する横隔壁１０２ａ−１０２ｈの間の間隔と隣接する縦隔壁１０１ａ−１０１ｈの間の間隔との比（縦横比）は３：１に設定されている。縦隔壁１０１ａ−１０１ｈ及び横隔壁１０２ａ−１０２ｈは全体として格子状に配列されている。
【０１１６】
本実施形態に係る背面側基板４０においては、一組の隔壁がそれらの両端部において半円形状の隔壁部分を介して相互に連続しており、この一組の隔壁の内部には二組の他の隔壁が配置されており、これら二組の他の隔壁はそれぞれそれらの両端部において半円形状の隔壁部分を介して相互に連続して形成されている。
【０１１７】
具体的には、縦隔壁１０１ａと縦隔壁１０１ｆとはそれらの両端部において半円形状の隔壁部分１０３ａを介して相互に連続して形成されており、縦隔壁１０１ａと縦隔壁１０１ｆとに囲まれて位置する縦隔壁１０１ｂと縦隔壁１０１ｃとはそれらの両端部において半円形状の隔壁部分１０３ｂを介して相互に連続して形成され、また、縦隔壁１０１ａと縦隔壁１０１ｆとに囲まれて位置する縦隔壁１０１ｄと縦隔壁１０１ｅとはそれらの両端部において半円形状の隔壁部分１０３ｃを介して相互に連続して形成されている。
【０１１８】
この場合、半円形状の隔壁部分１０３ａの半径は半円形状の隔壁部分１０３ｂ及び半円形状の隔壁部分１０３ｃの半径よりも大きい。なお、半円形状の隔壁部分１０３ｂの半径と半円形状の隔壁部分１０３ｃの半径とは等しい。
【０１１９】
同様に、横隔壁１０２ａと横隔壁１０２ｆとはそれらの両端部において半円形状の隔壁部分１０３ｅを介して相互に連続して形成されており、横隔壁１０２ａと横隔壁１０２ｆとに囲まれて位置する横隔壁１０２ｂと横隔壁１０２ｃとはそれらの両端部において半円形状の隔壁部分１０３ｆを介して相互に連続して形成され、また、横隔壁１０２ａと横隔壁１０２ｆとに囲まれて位置する横隔壁１０２ｄと横隔壁１０２ｅとはそれらの両端部において半円形状の隔壁部分１０３ｇを介して相互に連続して形成されている。
【０１２０】
この場合、半円形状の隔壁部分１０３ｅの半径は半円形状の隔壁部分１０３ｇ及び半円形状の隔壁部分１０３ｇの半径よりも大きい。なお、半円形状の隔壁部分１０３ｇの半径と半円形状の隔壁部分１０３ｇの半径とは等しい。
【０１２１】
なお、縦隔壁１０１ｇと縦隔壁１０１ｈとはそれらの両端部において半円形状の隔壁部分１０３ｄを介して相互に連続して形成されており、横隔壁１０２ｇと横隔壁１０２ｈとはそれらの両端部において半円形状の隔壁部分１０３ｈを介して相互に連続して形成されている。縦隔壁１０１ｇ及び縦隔壁１０１ｈは半円形状の隔壁部分１０３ａの外部に位置しており、横隔壁１０２ｇ及び横隔壁１０２ｈは半円形状の隔壁部分１０３ｅの外部に位置している。
【０１２２】
本実施形態に係る背面側基板４０においては、縦隔壁１０１ａと縦隔壁１０１ｆとを接続する半円形状の隔壁部分１０３ａの内部に２組の縦隔壁（縦隔壁１０１ｂと縦隔壁１０１ｃとの組及び縦隔壁１０１ｄと縦隔壁１０１ｅとの組）が配置されているが、一の縦隔壁と他の一の縦隔壁とを接続する半円形状の隔壁部分の内部に配置される縦隔壁の組の数は２に限定されるものではなく、２以外の任意の整数を選択することが可能である。
【０１２３】
この点は横隔壁についても同様である。
【０１２４】
本実施形態に係る背面側基板４０によっても、一組の縦隔壁または横隔壁の端部を半円形状の隔壁部分を介して相互に結合させることにより、焼成時に発生する収縮力を緩やかに分散させることができる。このため、縦隔壁または横隔壁の端部における盛り上がりを防止することができ、ひいては、第一の実施形態に係る背面側基板１０及び第二の実施形態に係る背面側基板２０と同様に、隔壁の欠損または形状不良を従来例よりも確実に防止することが可能である。
【０１２５】
（第五の実施形態）
図７は、本発明の第五の実施形態に係る背面側基板５０の概略的な平面図である。図を単純化するため、図７においては、隔壁のみを示すが、隔壁以外の構造については、本実施形態に係る背面側基板５０は図１２に示した背面基板３５２と同様の構造を有しているものとする。
【０１２６】
本実施形態に係る背面側基板５０においては、隔壁は、図７の鉛直方向において相互に平行に延びる複数の縦隔壁１０１と、図７の水平方向において相互に平行に延びる複数の横隔壁１０２と、から構成されている。隣接する縦隔壁１０１の間の間隔は全て等しく、また、隣接する横隔壁１０２の間の間隔は全て等しい。さらに、隣接する横隔壁１０２の間の間隔と隣接する縦隔壁１０１の間の間隔との比（縦横比）は３：１である。縦隔壁１０１及び横隔壁１０２は全体として格子状に配列されている。
【０１２７】
ここで、図７の一番左側に位置する縦隔壁１０１とその縦隔壁１０１の右側に位置する３つの縦隔壁１０１をこの順にそれぞれ第一の縦隔壁１０１−１、第二の縦隔壁１０１−２、第三の縦隔壁１０１−３、第四の縦隔壁１０１−４と呼ぶ。
【０１２８】
本実施形態に係る背面側基板５０においては、第一の縦隔壁１０１−１と第四の縦隔壁１０１−４とが半円形状の隔壁部分１０３ａを介して相互に連続して形成されており、さらに、第二の縦隔壁１０１−２と第三の縦隔壁１０１−３とが半円形状の隔壁部分１０３ｂを介して相互に連続して形成されている。
【０１２９】
半円形状の隔壁部分１０３ａの半径は半円形状の隔壁部分１０３ｂの半径の三倍である。
【０１３０】
このように、本実施形態に係る背面側基板５０においては、一組の縦隔壁１０１−１、１０１−４がそれらの両端部において半円形状１０３ａの隔壁部分を介して相互に連続して形成されており、この一組の縦隔壁１０１−１、１０１−４の内部において、他の一組の縦隔壁１０１−２、１０１−３がそれらの両端部において半円形状の隔壁部分１０３ｂを介して相互に連続して形成されている。
【０１３１】
以下、４個の縦隔壁１０１ごとに同様の隔壁構造が形成されている。
【０１３２】
また、横隔壁１０２についても縦隔壁１０１と同様の隔壁構造が形成されている。
【０１３３】
図７の一番上側に位置する横隔壁１０２とその横隔壁１０２の下側に位置する３つの横隔壁１０２をこの順にそれぞれ第一の横隔壁１０２−１、第二の横隔壁１０２−２、第三の横隔壁１０２−３、第四の横隔壁１０２−４と呼ぶ。
【０１３４】
本実施形態に係る背面側基板５０においては、第一の横隔壁１０２−１と第四の横隔壁１０２−４とが半円形状の隔壁部分１０３ｃを介して相互に連続して形成されており、さらに、第二の横隔壁１０２−２と第三の横隔壁１０２−３とが半円形状の隔壁部分１０３ｄを介して相互に連続して形成されている。
【０１３５】
半円形状の隔壁部分１０３ｃの半径は半円形状の隔壁部分１０３ｄの半径の三倍である。
【０１３６】
このように、本実施形態に係る背面側基板５０においては、一組の横隔壁１０１２１、１０２−４がそれらの両端部において半円形状１０３ｃの隔壁部分を介して相互に連続して形成されており、この一組の横隔壁１０２−１、１０２−４の内部において、他の一組の横隔壁１０２−２、１０２−３がそれらの両端部において半円形状の隔壁部分１０３ｄを介して相互に連続して形成されている。
【０１３７】
以下、４個の横隔壁１０２ごとに同様の隔壁構造が形成されている。
【０１３８】
図８は、本実施形態に係る背面側基板５０において、縦隔壁１０１、横隔壁１０２及び半円形状の隔壁部分１０３の数カ所において測定した高さを示す試験結果である。
【０１３９】
図８（Ａ）に示す１−２０、Ａ及びＢの１６カ所において、誘電体層及び隔壁の合計膜厚を測定した。その結果を図８（Ｂ）に示す。
【０１４０】
誘電体層及び隔壁の合計膜厚の設計値は１２０μｍである。最も膜厚が大きい位置は１３番の箇所の１３６μｍ、次に膜厚が大きい位置は１番の箇所の１３１μｍである。測定誤差が±５μｍ程度あることを考慮すれば、２番、３番、５番、９番、１４番、２０番及びＢの箇所における膜厚は測定誤差の範囲内の値であり、残りの１番、４番、８番、１２番、１３番、１５番、１６番、１７番及びＡの箇所における膜厚の設計値（１２０μｍ）からのずれは最大でも１３番の箇所の１１μｍである。
【０１４１】
従来例として示した特開２０００−３４０１２３号公報または特開平１１−３３９６６８号公報における隔壁構造においては、誘電体層及び隔壁の合計膜厚の設計値からのずれは２０−３０μｍ程度である。
【０１４２】
このように、本実施形態に係る背面側基板５０によれば、一組の縦隔壁または横隔壁の端部を半円形状の隔壁部分を介して相互に結合させることにより、焼成時に発生する収縮力を緩やかに分散させることができる。このため、縦隔壁または横隔壁の端部における盛り上がりを防止することができ、ひいては、隔壁の欠損または形状不良を従来例よりも確実に防止することが可能である。
【０１４３】
なお、本実施形態に係る背面側基板５０においても、第一の実施形態に係る背面側基板１０と同様に、縦隔壁１０１、横隔壁１０２及び隔壁部分１０３の構造は種々の変更が可能である。
【０１４４】
なお、本実施形態に係る背面側基板５０においては、図８（Ａ）に示すように、半円形状の隔壁部分１０３ａの幅Ｗ１は半円形状の隔壁部分１０３ｂの幅Ｗ２よりも大きく設定されており、同様に、半円形状の隔壁部分１０３ｃの幅Ｗ３は半円形状の隔壁部分１０３ｄの幅Ｗ４よりも大きく設定されている。
【０１４５】
より外側に位置する隔壁部分は、サンドブラスト加工時にサイドエッチングを受けやすい。このため、半円形状の隔壁部分１０３ａの幅Ｗ１は半円形状の隔壁部分１０３ｂの幅Ｗ２よりも大きく、さらに、半円形状の隔壁部分１０３ｃの幅Ｗ３は半円形状の隔壁部分１０３ｄの幅Ｗ４よりも大きく設定されている。
【０１４６】
また、外側に位置する半円形状の隔壁部分１０３ａ、１０３ｃは内側に位置する半円形状の隔壁部分１０３ｂ、１０３ｄよりも大きな曲率を得ることができるため、半円形状の隔壁部分１０３ａ、１０３ｃにより連結される縦隔壁または横隔壁における収縮力の分散がより大きくなり、ひいては、隔壁の両端部における盛り上がりを防止することができる。
【０１４７】
本実施形態に係る背面側基板５０においては、半円形状の隔壁部分１０３ａを介して連結された一組の縦隔壁１０１−１、１０１−４の内部に、半円形状の隔壁部分１０３ｂを介して連結された他の一組の縦隔壁１０１−２、１０１−３が配置されているものとしたが、半円形状の隔壁部分を介して連結された一組の縦隔壁の内部に、半円形状の隔壁部分を介して連結された他の一組の縦隔壁を相似形状に配置することを繰り返した構造とすることもできる。
【０１４８】
その一例として３組の縦隔壁を相似形状に、かつ、同心状に配置した例を第六の実施形態として以下に示す。
【０１４９】
（第六の実施形態）
図９は、本発明の第六の実施形態に係る背面側基板６０の概略的な平面図である。図を単純化するため、図９においては、隔壁のみを示すが、隔壁以外の構造については、本実施形態に係る背面側基板６０は図１２に示した背面基板３５２と同様の構造を有しているものとする。
【０１５０】
本実施形態に係る背面側基板６０においては、隔壁は、図９の鉛直方向において相互に平行に延びる複数の縦隔壁１０１と、図９の水平方向において相互に平行に延びる複数の横隔壁１０２と、から構成されている。隣接する縦隔壁１０１の間の間隔は全て等しく、また、隣接する横隔壁１０２の間の間隔は全て等しい。さらに、隣接する横隔壁１０２の間の間隔と隣接する縦隔壁１０１の間の間隔との比（縦横比）は３：１である。縦隔壁１０１及び横隔壁１０２は全体として格子状に配列されている。
【０１５１】
ここで、図９の一番左側に位置する縦隔壁１０１とその縦隔壁１０１の右側に位置する５個の縦隔壁１０１をこの順にそれぞれ第一の縦隔壁１０１−１、第二の縦隔壁１０１−２、第三の縦隔壁１０１−３、第四の縦隔壁１０１−４、第五の縦隔壁１０１−５、第六の縦隔壁１０１−６と呼ぶ。
【０１５２】
本実施形態に係る背面側基板６０においては、第一の縦隔壁１０１−１と第六の縦隔壁１０１−６とが半円形状の隔壁部分１０３ａを介して相互に連続して形成されており、第二の縦隔壁１０１−２と第五の縦隔壁１０１−５とが半円形状の隔壁部分１０３ｂを介して相互に連続して形成されており、さらに、第三の縦隔壁１０１−３と第四の縦隔壁１０１−４とが半円形状の隔壁部分１０３ｃを介して相互に連続して形成されている。
【０１５３】
半円形状の隔壁部分１０３ａの半径は半円形状の隔壁部分１０３ｃの半径の五倍であり、半円形状の隔壁部分１０３ｂの半径は半円形状の隔壁部分１０３ｃの半径の三倍である。
【０１５４】
このように、本実施形態に係る背面側基板６０においては、一組の縦隔壁１０１−１、１０１−６がそれらの両端部において半円形状１０３ａの隔壁部分を介して相互に連続して形成されており、この一組の縦隔壁１０１−１、１０１−６の内部において、他の一組の縦隔壁１０１−２、１０１−５がそれらの両端部において半円形状の隔壁部分１０３ｂを介して相互に連続して形成され、さらに、この一組の縦隔壁１０１−２、１０１−５の内部において、他の一組の縦隔壁１０１−３、１０１−４がそれらの両端部において半円形状の隔壁部分１０３ｃを介して相互に連続して形成されている。
【０１５５】
以下、６個の縦隔壁１０１ごとに同様の隔壁構造が形成されている。
【０１５６】
また、横隔壁１０２についても縦隔壁１０１と同様の隔壁構造が形成されている。
【０１５７】
図１０は、本実施形態に係る背面側基板６０において、縦隔壁１０１、横隔壁１０２及び半円形状の隔壁部分１０３の数カ所において測定した高さを示す試験結果である。
【０１５８】
図１０（Ａ）に示す１−１８及びＡ−Ｔの２０カ所において、誘電体層及び隔壁の合計膜厚を測定した。その結果を図１０（Ｂ）に示す。
【０１５９】
誘電体層及び隔壁の合計膜厚の設計値は１２０μｍである。最も膜厚が大きい位置は１番、３番、６番及び１０番の箇所の１３３μｍ、次に膜厚が大きい位置はＡの箇所の１３１μｍである。測定誤差が±５μｍ程度あることを考慮すれば、２番、４番、１２番、１７番、１８番、Ｐ及びＳの箇所における膜厚は測定誤差の範囲内の値であり、残りの１番、３番、５番、６番、１０番、Ａ、Ｄ、Ｆ、Ｈ、Ｉ、Ｍ、Ｎ、Ｔの箇所における膜厚の設計値（１２０μｍ）からのずれは最大でも１番、３番、６番及び１０番の箇所の１３μｍである。
【０１６０】
従来例として示した特開２０００−３４０１２３号公報または特開平１１−３３９６６８号公報における隔壁構造においては、誘電体層及び隔壁の合計膜厚の設計値からのずれは２０−３０μｍ程度である。
【０１６１】
このように、本実施形態に係る背面側基板６０によれば、一組の縦隔壁または横隔壁の端部を半円形状の隔壁部分を介して相互に結合させることにより、焼成時に発生する収縮力を緩やかに分散させることができる。このため、縦隔壁または横隔壁の端部における盛り上がりを防止することができ、ひいては、隔壁の欠損または形状不良を従来例よりも確実に防止することが可能である。
【０１６２】
なお、本実施形態に係る背面側基板６０においては、図１０（Ａ）に示すように、半円形状の隔壁部分１０３ａの幅Ｗ１は半円形状の隔壁部分１０３ｂの幅Ｗ２よりも大きく設定されており、さらに、半円形状の隔壁部分１０３ｂの幅Ｗ２は半円形状の隔壁部分１０３ｃの幅Ｗ３よりも大きく設定されている。
【０１６３】
一組の横隔壁を連結する半円形状の隔壁部分の幅についても同様である。
【０１６４】
各半円形状の隔壁部分の幅をこのように規定することにより、上述の第五の実施形態において述べた効果と同様の効果を得ることができる。
【０１６５】
上述の第一乃至第六の実施形態においては、隔壁は縦隔壁及び横隔壁から構成されていたが、隔壁は縦隔壁または横隔壁から構成することも可能である。
【０１６６】
あるいは、図１７に示したように、隔壁を、複数の横隔壁と、相互に隣接する横隔壁の間においてのみ形成された複数の縦隔壁とから構成することも可能である。
【０１６７】
（第七の実施形態）
図１１は、本発明の第七の実施形態に係る背面側基板７０の概略的な平面図である。
【０１６８】
本実施形態に係る背面側基板７０は、図１に示した第一の実施形態に係る背面側基板１０の隔壁構造と同一の隔壁構造を有している。また、背面側基板は、画像の表示が行われる領域である表示領域７１（ハッチングされた領域）と、表示領域７１の周囲に位置し、画像の表示が行われない領域である非表示領域７２とを有している。
【０１６９】
縦隔壁１０１及び横隔壁１０２は表示領域７１の内部全体にわたって形成されているとともに、表示領域７１と非表示領域７２との境界線にも形成されている。非表示領域７２には、表示領域７１を囲むように縦隔壁１０１及び横隔壁１０２がそれぞれ２列形成されている。これら２列の縦隔壁１０１及び横隔壁１０２はダミー隔壁を構成している。このダミー隔壁を形成することにより、プラズマディスプレイパネルの製造時においては、表示領域７１内の縦隔壁１０１及び横隔壁１０２を均一に形成し、プラズマディスプレイパネルの製造後においては、表示領域７１を保護し、表示領域７１への不純物の侵入を抑制することができる。
【０１７０】
本実施形態に係る背面側基板７０においては、半円形状の隔壁部分１０３を介して相互に連結された一組の縦隔壁１０１及び横隔壁１０２の両端に対向して、非表示領域７２において、絶縁基板３０１上にフリット止め７３が形成されている。
【０１７１】
フリット止め７３は円形形状をなしており、その中心は、隣接する一組の縦隔壁１０１の幅方向の中心を通る延長線上に位置している。
【０１７２】
また、隣接する一組の縦隔壁１０１に対向する各フリット止め７３は相互に同一の直径を有しており、隣接する一組の横隔壁１０２に対向する各フリット止め７３は相互に同一の直径を有している。
【０１７３】
各フリット止め７３の直径をＤとすると、各フリット止め７３は隣接する両側のフリット止め７３とＤ／３ずつ相互に重なりあっており、このように相互に重なりあったフリット止め７３が表示領域７１を矩形状に囲むように配置されている。
【０１７４】
従来のフリット止めとしては、表示領域７１を囲むフレーム状のものが非表示領域７２に形成されていたが、本実施形態のように、フリット止め７３を円形形状とすることにより、フリット止め７３が占有するスペースの縮小を図ることができるとともに、さらに、一組の縦隔壁１０１または横隔壁１０２に対向して配置することにより、その縦隔壁１０１または横隔壁１０２に対応して前面側基板３５１と背面側基板３５２とを確実に結合させることができる。
【０１７５】
なお、フリット止め７３の形状は円形に限定されるものではなく、曲線からなる形状であれば、いかなる形状をもとることができる。例えば、フリット止め７３を楕円形状とすることも可能である。
【図面の簡単な説明】
【０１７６】
【図１】本発明の第一の実施形態に係る背面側基板の概略的な平面図である。
【図２】図２（Ａ）は、第一の実施形態に係る背面側基板において、誘電体層及び隔壁の合計膜厚を測定した地点を示す平面図であり、図２（Ｂ）はその測定結果を示す表である。
【図３】本発明の第二の実施形態に係る背面側基板の概略的な平面図である。
【図４】図４（Ａ）は、第二の実施形態に係る背面側基板において、誘電体層及び隔壁の合計膜厚を測定した地点を示す平面図であり、図４（Ｂ）はその測定結果を示す表である。
【図５】本発明の第三の実施形態に係る背面側基板の概略的な平面図である。
【図６】本発明の第四の実施形態に係る背面側基板の概略的な平面図である。
【図７】本発明の第五の実施形態に係る背面側基板の概略的な平面図である。
【図８】図８（Ａ）は、第五の実施形態に係る背面側基板において、誘電体層及び隔壁の合計膜厚を測定した地点を示す平面図であり、図８（Ｂ）はその測定結果を示す表である。
【図９】本発明の第六の実施形態に係る背面側基板の概略的な平面図である。
【図１０】図１０（Ａ）は、第六の実施形態に係る背面側基板において、誘電体層及び隔壁の合計膜厚を測定した地点を示す平面図であり、図１０（Ｂ）はその測定結果を示す表である。
【図１１】本発明の第七の実施形態に係る背面側基板の概略的な平面図である。
【図１２】従来の３電極面放電交流型プラズマディスプレイパネルにおける１つの表示セルの構成を示す斜視図である。
【図１３】図１２に示した従来のプラズマディスプレイパネルの製造方法の一工程を示す図であり、図１３（ａ）は背面基板を示す平面図であり、図１３（ｂ）は図１３（ａ）のＪ−Ｊ線における断面図である。
【図１４】図１２に示した従来のプラズマディスプレイパネルの製造方法の一工程を示す図であり、図１４（ａ）は背面基板を示す平面図であり、図１４（ｂ）は図１４（ａ）のＫ−Ｋ線における断面図である。
【図１５】図１２に示した従来のプラズマディスプレイパネルの製造方法の一工程を示す図であり、図１５（ａ）は背面基板を示す平面図であり、図１５（ｂ）は図１５（ａ）のＬ−Ｌ線における断面図である。
【図１６】隔壁の焼成時における収縮挙動を示す断面図であり、（ａ）は焼成前、（ｂ）は焼成後、（ｃ）は二つの絶縁基板を重ね合わせた後の状態を示す。
【図１７】従来のプラズマディスプレイパネルにおける隔壁構造を示す平面図である。
【図１８】従来のプラズマディスプレイパネルにおける隔壁構造を示す断面図である。
【符号の説明】
【０１７７】
１０  第一の実施形態に係る背面側基板
２０  第二の実施形態に係る背面側基板
３０  第三の実施形態に係る背面側基板
４０  第四の実施形態に係る背面側基板
５０  第五の実施形態に係る背面側基板
６０  第六の実施形態に係る背面側基板
７０  第七の実施形態に係る背面側基板
７１  表示領域
７２  非表示領域
７３  フリット止め
１０１、１０１ａ  縦隔壁
１０２、１０２ａ  横隔壁
１０３、１０３ａ、１０３ｂ、１０３ｃ、１０３ｄ  半円形状の隔壁部分
【図１】
2008159598.tif 000003
【図２】
2008159598.tif 000004
【図３】
2008159598.tif 000005
【図４】
2008159598.tif 000006
【図５】
2008159598.tif 000007
【図６】
2008159598.tif 000008
【図７】
2008159598.tif 000009
【図８】
2008159598.tif 000010
【図９】
2008159598.tif 000011
【図１０】
2008159598.tif 000012
【図１１】
2008159598.tif 000013
【図１２】
2008159598.tif 000014
【図１３】
2008159598.tif 000015
【図１４】
2008159598.tif 000016
【図１５】
2008159598.tif 000017
【図１６】
2008159598.tif 000018
【図１７】
2008159598.tif 000019
【図１８】
2008159598.tif 000020